(57)【特許請求の範囲】
【請求項１】
室外の空気を吸込み、室内へ給気する給気送風機を、室内外を連絡する風洞に設けた本体と、この本体の室内側に装着され、前記風洞の室内側開口部を被覆するとともに、室内へ吹出す吹出口を有する室内側第１パネルと、この室内側第１パネルの前記吹出口を除く外側を室内側において被覆する室内側第２パネルとを備え、この室内側第１パネルと室内側第２パネルとの間に断熱空気層を設けた換気装置。
【請求項２】
請求項１に記載の換気装置であって、前記室内側第２パネルに前記室内側第１パネルの吹出口を室内に開口するよう導くガイド部を設け、前記室内側第１パネルと前記室内側第２パネルとの間に断熱空気層を設けた換気装置。
【請求項３】
請求項１又は請求項２に記載の換気装置であって、前記室内側第２パネルを室内側第１パネルに対して着脱可能に構成した換気装置。
【請求項４】
請求項１〜請求項３までのいずれかに記載の換気装置であって、前記室内側第１パネルの吹出口を吹出し方向の異なる複数箇所に設け、これらの吹出口に対応する吹出口を前記室内側第２パネルに設け、前記室内側第１パネルと前記室内側第２パネルの吹出口の少なくとも一方を開閉可能に構成した換気装置。
【請求項５】
請求項４に記載の換気装置であって、前記室内側第１パネルの吹出口に対応する吹出口を前記室内側第２パネルに設け、この室内側第２パネルの吹出口を室内側に向って開口面積が漸減する形状にし、この室内側第２パネルの吹出口を内側からの着脱によって閉開する開閉蓋を設けた換気装置。
【請求項６】
請求項１〜請求項５までのいずれかに記載の換気装置であって、前記室内側第２パネルの室内への吹出し方向を、取付場所の建物構造の室内側面から遠ざかる方向に設定した換気装置。
【請求項７】
請求項１〜請求項６までのいずれかに記載の換気装置であって、前記室内側第２パネルの室内への気流の吹出し経路中にエアーフィルターを設けた換気装置。
【請求項８】
請求項１〜請求項７までのいずれかに記載の換気装置であって、前記室内側第２パネルを断熱性のある樹脂で一体成形した換気装置。
【請求項９】
請求項１〜請求項８までのいずれかに記載の換気装置であって、前記室内側第１パネルを断熱性のある樹脂で一体成形した換気装置。
【発明の詳細な説明】
【０００１】
【発明の属する技術分野】
本発明は、室外の空気を室内へ供給して室内の換気を図る給気を目的とした換気装置に関するものである。
【０００２】
【従来の技術】
給気を目的とした換気装置の多くは、これまで図９に示すような基本構成が採られている。即ち、室外の空気を吸込み、室内へ給気する給気送風機７を、室内外を連絡する風洞４に設けた本体８と、本体８の室内側に装着され、風洞４の室内側開口部を被覆し、吸込んだ室外の空気を室内へ吹出す吹出口１４を有する化粧パネル１２Aで構成されている。本体８は、建物の壁構造や天井構造に設けた取付孔３に嵌め装着され、取付孔３又は取付孔３に連絡するダクトを通じて室外の空気を室内へ給気する。化粧パネル１２Aは、室内への給気方向を変えたり、室内側意匠を構成する通風部品で、本体８に着脱可能に構成されている。
【０００３】
吹出口１４は、正面に設けられているものもあるが、図示のものでは化粧パネル１２Aの側面に設けられていて、居者に直接外気が当たらないようになっている。この種の換気装置でしばしば問題となるのが化粧パネル１２A表面での結露の発生である。冬季など吸込んだ冷たい外気と、室内の温かい空気と接触する化粧パネル１２Aには、その室内側に結露が発生する。そのため化粧パネル１２Aの背面に断熱材を貼着したり、特開平７―２３３９８４号公報に示されているように、本体枠の室内に臨む外周部をジャケット構造にして断熱空気層を形成したりして対応している。
【０００４】
【発明が解決しようとする課題】
上記した従来の換気装置においては、外気温度が室内温度より極端に低い場合には、有効な断熱が果しきれず化粧パネル１２Aの室内側に結露が発生し、運転を続けることでやがて表面の結露が成長し、水滴となって壁面を濡らしたり、滴下して床を濡らすといった問題点がある。
【０００５】
冬季においては日常的に外気温度が低い寒冷地では、こうした結露の発生という問題性は大変大きなものである。十分な結露防止機能を得るためには、断熱材を厚くしたり、断熱空気層を二重にしたりして断熱性能を上げることであるが、装置の室内側の構成が大型化し、コストの高騰を招くうえ、意匠性も大きく損なわれたりするため有効な対策とはならない。また、冬季でも外気温度がそれ程低くならない温暖な地域では、寒冷地と同様な断熱性能の必要性はなく、結露についての問題性はさほど高いものではない。
【０００６】
本発明は、係る従来の問題点を解決するためになされたものであって、その課題とするところは、コストの高騰を招くことなく結露耐力の高い換気装置を開発することであり、寒冷地と温暖地での使い分け、ないしは季節での使い分けのできる利便性と実用性の高い換気装置を得ることであり、その換気装置の機能性を高めること、使い易さの向上を図ることである。
【０００７】
【課題を解決するための手段】
前記課題を達成するために請求項１の発明は、室外の空気を吸込み、室内へ給気する給気送風機を、室内外を連絡する風洞に設けた本体と、この本体の室内側に装着され、風洞の室内側開口部を被覆するとともに、室内へ吹出す吹出口を有する室内側第１パネルと、この室内側第１パネルの前記吹出口を除く外側を室内側において被覆する室内側第２パネルとを備え、この室内側第１パネルと室内側第２パネルとの間に断熱空気層を設ける手段を採用する。
【００２０】
【発明の実施の形態】
実施の形態１．
図１〜図４によって示す本実施の形態は、図１に示すように建物の壁構造や天井構造等の仕切構造１に設けたパイプ２やダクトで構成された室内外を連絡する取付孔３に嵌め装着され、外気の室内への給気によって換気を行う換気装置に関するものである。この換気装置は、樹脂で作られた直管状の風洞４に、羽根車５と電動機６よりなる給気送風機７を組付けた本体８と、本体８の室内側を被覆するように装着される室内側構造とから構成されている。風洞４は、室内側端に吹出し側となる開口部９を有し、この開口部９の口縁部には半径方向に張出すフランジ１０と、内方へ突出する複数本の取付脚１１が一体に設けられている。風洞４のフランジ１０は、自由端側が後方に向って延出する縁枠部をなし、本体８の室内側前面部を構成する。
【００２１】
給気送風機７の電動機６は、風洞４内の室外側へ向って回転軸が突入するように取付脚１１に固定され、その回転軸に風洞４内での回転を可能に羽根車５が装着されている。この羽根車５の回転により風洞４内に室外側から室内側の開口部９へ向う給気流が形成される。換気装置の室内構造は、図２に示すように風洞４の室内側の開口部９をフランジ１０とともに被覆する正面略方形の室内側第１パネル１２と、この室内側第１パネル１２の室内側を覆う室内側第２パネル１３とから構成されている。
【００２２】
室内側第１パネル１２は、樹脂によりカップ状に形成され、その下面を除く上面と両側面とには風洞４に対して略半径方向に風洞４からの給気流の方向を変えて室内へ吹出す、それぞれ吹出し方向の異なる吹出口１４が形成されている。各吹出口１４にはこれらをそれぞれ開閉できるスライド式の開閉部材１５が摺動可能に組付けられている（図１参照）。室内側第１パネル１２の周側部にはその内側に掛止構造が設けられていて、風洞４のフランジ１０の縁枠部に形成され係合構造に係合させることによって風洞４の前面を被覆する状態に係脱可能に取付けられる。室内側第１パネル１２の風洞４における室内側の開口部９に向い合う内面にはクッション材よりなる断熱材１６が貼設されている。そして、電動機６の外殻を囲むように着脱可能に筒状のエアーフィルター１７が装着されている。
【００２３】
寒冷地や厳冬季を除く使用環境では、取付孔３に装着した本体８に室内側第１パネル１２を室内側から装着することによって、当該室内に外気を給気する給気による換気機能を果す換気装置として完結した形態である。風洞４から吹出される外気の外気温度が室内温度より多少低くても、室内側第１パネル１２の室内側の前面は、内面に貼設された断熱材１６の断熱機能により室内温度に維持され、結露が発生することは殆どない。
【００２４】
室内側第２パネル１３は、基本的には室内側第１パネル１２の断熱機能を補完するもので、室内側第１パネル１２と略相似形状の樹脂による一体成形物として構成され、室内側第１パネル１２に対して外嵌合により係脱可能に装着される。室内側第２パネル１３にも室内側第１パネル１２の各吹出口１４に略整合する吹出口１８が形成されている。この室内側第２パネル１３を、室内側第１パネル１２を被覆するように装着することにより、風洞４の室内側の開口部９と室内とは熱的には二重の障壁により隔てられることになり、さらに、二重の障壁の間には空気層が出来ることになる。この空気層は殆ど流動しないため断熱空気層１９として二重の障壁とともに確りした断熱機能を果す。
【００２５】
即ち、寒冷地や厳冬季等の使用環境にあっては、室内側第２パネル１３を室内側第１パネル１２の外側に被着させることによって、室内側構造の断熱性が増し、結露耐力が向上し室内側の面での結露の発生を防止することができる。また、室内側第２パネル１３の装着により、換気装置の室内側意匠も変わることになるので、例えば、室内側第１パネル１２を寒色系の色調にし、室内側第２パネル１３を暖色系の色調にすることにより、季節に応じた室内雰囲気を作ることも可能である。さらに、意匠的見地に立てば、色調のみならず室内側第１パネル１２の前面構成と室内側第２パネル１３の前面構成を異なるものとすることもできる。このように、換気装置の室内側構造を別部材の重ね合わせで二重の構造とすることは、フレームに一体に断熱空気層を形成するジャケット構造を構成したり、断熱材を極厚くする対策を採るより低コストで実現でき、結露防止に有効な断熱性を得ることができるうえ、使用環境に応じて簡単に対応できる利便性も備わり、実用性が高い。
【００２６】
図３に示すように、室内側第２パネル１３にその吹出口１８と室内側第１パネル１２の吹出口１４とを連絡する吹出ガイド部２０を設けることにより、室内側第１パネル１２と室内側第２パネル１３との間隔を大きく採ることができ、断熱空気層１９の層幅を大きくして断熱性を、断熱材を使わずにより高くすることも可能である。
【００２７】
また、本実施の形態の換気装置には、二重の障壁とその間の空気層による断熱機能とともに給気送風機７の運転音の室内への伝播を減衰させる遮音機能も備わる。従って、結露防止としてではなく、医療施設等、静粛性を要求されるような室内の換気にも室内側第２パネル１３の装着によって応じることができる。この場合、図４に示すように室内側第２パネル１３にスポンジ材等の断熱材１６を内貼りにすることにより、断熱・遮音機能をより向上させることができる。
【００２８】
実施の形態２．
図５〜図７に示す本実施の形態は、実施の形態１で示した換気装置の室内側第２パネル１３に断熱性を持たせるための工夫を講じたもので、これに係る構成以外は実施の形態１のものと同じである。従って、実施の形態１のものと同じ部分については実施の形態１のものと同じ符号を用い、それらについての説明は省略する。
【００２９】
本実施の形態の換気装置は、室内側第２パネル１３が断熱性のある発泡樹脂の一体成形物として構成されている。発泡樹脂としては、スチロール系樹脂やポリプロピレン系の樹脂が採用されている。表面については外観性や意匠性を持たせるため、成形時の発泡倍率が抑えられ平滑面となっている。室内側第１パネル１２の吹出口１４に対応する室内側第２パネル１３の各吹出口１８は、室内側に向って開口面積が漸減する矩形で、しかも室内への吹出し方向が取付場所の建物構造の室内側面から遠ざかる方向の通風経路として形成されている（図６，図７参照）。この各吹出口１８は、図７に示すように同一材料又は異種材料で構成された脱着可能な開閉蓋２１で開閉可能になっている。また、開閉蓋２１の形状と略同じ形状に形成されたエアーフィルター部材２２も備えられ、開閉蓋２１かエアーフィルター部材２２のいずれかを吹出口１８に装着することができる（図７参照）。
【００３０】
室内側第２パネル１３のこの構成により、室内側第２パネル１３を室内側第１パネル１２に装着したときの換気装置の結露耐力及び静粛性が低コストで増加することになる。室内側第１パネル１２に設けたスライド式の開閉部材１５は、いずれかの吹出口１４が壁面に近接するような取付状態になった場合に、当該吹出口１４を閉止して壁面への吹付けを防ぐものであるため、室内側第２パネル１３を常設するものであれば吹出口１８に開閉蓋２１を備えれば、必ずしも必要はない。開閉蓋２１を装着した場合、当該吹出口１８部分の断熱が開閉蓋２１により行われるため、結露対策上でも有効に働く。また、エアーフィルター１７についても室内側第２パネル１３を常設するものでは吹出口１８にエアーフィルター部材２２を備えることにより省略することもでき、室内側第１パネル１２と室内側第２パネル１３の双方にエアーフィルター１７とエアーフィルター部材２２を装備した形態では、室内へ導入する外気の清浄度を高め、快適な給気を行うことができる。製造上においては、開閉部材１５よりも開閉蓋２１の方が簡素な構成で、製造し易く、エアーフィルター１７よりもエアーフィルター部材２２の方が簡素な構成で製造し易い。
【００３１】
開閉蓋２１もエアーフィルター部材２２も、図６に示すように吹出口１８が室内側に向かって開口面積が漸減する形状であるため、内側からの差込みによって離脱し難い状態に装着することができ、離脱も内側からの引き抜きによって簡単に行うことができる。そして、吹出口１８が、室内への吹出し方向が取付場所の建物構造の室内側面から遠ざかる方向の通風経路として形成されているので冷たい外気が暖かい壁面に当たり、壁面を結露させるようなことも回避でき、さらに室内への吹出し風速が速くなることから吹出し部分での気流の巻込みも回避できる。これ以外の機能は実施の形態１のものと同じである。
【００３２】
実施の形態３．
図８に示す本実施の形態は、実施の形態１で示した換気装置の室内側第１パネル１２に断熱性を持たせるための工夫を講じたもので、これに係る構成以外は実施の形態１のものと同じである。従って、実施の形態１のものと同じ部分については実施の形態１のものと同じ符号を用い、それらについての説明は省略する。
【００３３】
本実施の形態の換気装置は、室内側第１パネル１２が断熱性のある発泡樹脂の一体成形物により構成されている。発泡樹脂としては、スチロール系樹脂やポリプロピレン系の樹脂が採用されている。表面については外観性や意匠性を持たせるため、成形時の発泡倍率が抑えられ平滑面となっている。室内側第１パネル１２にこうした構成を採用することによっても、実施の形態２のものと同様な結露耐力と静粛性とが得られる。
【００３４】
【発明の効果】
請求項1の発明によれば、コストの高騰を招くことなく結露耐力の高い換気装置が得られる。
【００３５】
請求項２の発明によれば、請求項１に係る前記効果とともに結露耐力を低コストで高めることができる。
【００３６】
請求項３の発明によれば、請求項１に係る前記効果とともに結露耐力を高めることができる。
【００３７】
請求項４の発明によれば、請求項１に係る前記効果とともに断熱空気層を大きくでき、結露耐力を高めることができる。
【００３８】
請求項５の発明によれば、コストの高騰を招くことなく結露耐力の高い遮音性能も備えた換気装置が得られる。
【００３９】
請求項６の発明によれば、請求項１又は請求項５のいずれかに係る前記効果とともに容易に断熱遮音機能を持たせることができる。
【００４０】
請求項７の発明によれば、請求項１〜請求項６までのいずれかに係る前記効果とともに寒冷地と温暖地での使い分け、ないしは季節での使い分けのできる利便性と実用性の高い使い易い換気装置が得られる。
【００４１】
請求項８の発明によれば、請求項１〜請求項７までのいずれかに係る前記効果とともに障害物に臨む吹出口からの外気の吹出しを防ぐことができ、換気性能を向上させうる。
【００４２】
請求項９の発明によれば、請求項７に係る前記効果とともに吹出しを規制する構成が簡素になる。
【００４３】
請求項１０の発明によれば、請求項１〜請求項９までのいずれかに係る前記効果とともに建物構造の室内側面の結露を防止することができる。
【００４４】
請求項１１の発明によれば、請求項１〜請求項１０までのいずれかに係る前記効果とともにエアーフィルターに係る構成が簡素になる。
【００４５】
請求項１２の発明によれば、請求項１〜請求項１１までのいずれかに係る前記効果とともに生産性が向上し、コストを低減できる。
【００４６】
請求項１３の発明によれば、請求項１〜請求項１１までのいずれかに係る前記効果とともに生産性が向上し、コストを低減できる。
【図面の簡単な説明】
【図１】  実施の形態１の換気装置を取付状態で示す縦断側面図である。
【図２】  実施の形態１の換気装置の室内側構造を示す斜視図である。
【図３】  実施の形態１の他の換気装置を取付状態で示す縦断側面図である。
【図４】  実施の形態１のさらに他の換気装置を取付状態で示す縦断側面図である。
【図５】  実施の形態２の換気装置を示す断面図である。
【図６】  実施の形態２の換気装置の室内側構造の要部の拡大断面図である。
【図７】  実施の形態２の換気装置の室内側第２パネルの構造を示す斜視図である。
【図８】  実施の形態３の換気装置の室内側構造を示す斜視図である。
【図９】  従来の換気装置を取付状態で示す縦断側面図である。
【符号の説明】
１  仕切構造、  ３  取付孔、  ４  風洞、  ７  給気送風機、  ８  本体、９  開口部、  １２  室内側第１パネル、  １３  室内側第２パネル、  １４吹出口、  １８  吹出口、  １９  断熱空気層、  ２０  吹出ガイド部、  ２１  開閉蓋、  ２２  エアーフィルター部材。
【図１】
0004421792.tif 000002
【図２】
0004421792.tif 000003
【図３】
0004421792.tif 000004
【図４】
0004421792.tif 000005
【図５】
0004421792.tif 000006
【図６】
0004421792.tif 000007
【図７】
0004421792.tif 000008
【図８】
0004421792.tif 000009
【図９】
0004421792.tif 000010